(57)【要約】【課題】ＢＤとＨＤ−ＤＶＤのように、同じ波長のレーザを用いる透明層の厚さの異なる２つの光ディスクについて、精度よく判別することができる光ディスクの種別判別方法及びこれを備えた光ディスク装置を提供する。【解決手段】収差補正手段５を有し、同一波長のレーザ光を用い透明層厚さが異なる光ディスクの種別を判別する種別判別方法であって、収差補正量を予め定められた値に設定する収差補正工程と、前記光ディスクにレーザ光が照射されている状態で、フォーカスサーチを行うフォーカスサーチ工程と、合焦位置で出力されるフォーカスエラー信号及び全光和信号のうちすくなくとも一方の信号を光ディスク種判別用信号として検出する光ディスク種判別用信号検出工程と、前記光ディスク種判別用信号を元に光ディスクの種別を判別する判別工程とを有している光ディスク種別の判別方法。【選択図】図４
2008293611.tif 000002
【特許請求の範囲】
【請求項１】
レーザ光を透過させて球面収差を補正する収差補正手段と、
前記収差補正手段を透過したレーザ光を光ディスクの記録面に集光させる対物レンズと、
前記対物レンズを前記光ディスクに対して移動させるアクチュエータと、
前記光ディスクからの反射光を検出し、フォーカスエラー信号又は全光和信号を出力する信号検出手段と
前記収差補正手段、前記アクチュエータ及び前記信号検出手段とを制御する制御手段とを有し、異なる透明層厚さを有する光ディスクに同一波長のレーザ光を照射して記録／再生を行う光ディスク装置であって、
前記制御手段は、前記収差補正手段を駆動させレーザ光が予め定められた収差を有するように設定し、前記光ディスクにレーザ光が照射されている状態で、前記アクチュエータを前記光ディスクに接近させてフォーカスサーチを行い、合焦位置にて前記信号検出手段より出力されたフォーカスエラー信号及び全光和信号のうちすくなくとも一方の信号を光ディスク種判別用信号として用いることを特徴とする光ディスク装置。
【請求項２】
前記制御手段はレーザ光が透明層が厚い光ディスク用の収差及び透明層が薄い光ディスク用の収差を有するように前記収差補正手段を設定し、それぞれの収差補正状態で前記フォーカスサーチを行ったときの前記光ディスク種判別信号の振幅を測定し、予め与えられている光ディスク種判別用信号の閾値と比較することで、光ディスクの種別を判別していることを特徴とする請求項１に記載の光ディスク装置。
【請求項３】
前記制御手段は、判別される光ディスクの種別は前記閾値を超えた光ディスク種判別用信号が検出されたときの収差補正で記録／再生される光ディスクの種別であると判別することを特徴とする請求項２に記載の光ディスク装置。
【請求項４】
前記制御手段は前記レーザ光の収差を、前記透明層が厚い光ディスク、薄い光ディスクいずれの光ディスクに対してフォーカスサーチを行った場合でも、前記光ディスク種判別用信号の波形及び大きさが同じになるように設定し、フォーカスサーチを行い、前記光ディスク種判別用信号が検出されたときの前記アクチュエータに入力されるフォーカス駆動電圧信号値と、予め定められているフォーカス駆動電圧信号の閾値とを比較することで光ディスクの種別を判別することを特徴とする請求項１に記載の光ディスク装置。
【請求項５】
前記制御手段は前記光ディスク種判別用信号が検出されたときの前記フォーカス駆動電圧信号が閾値よりも小さい場合、透明層が薄い光ディスクであり、大きい場合、透明層が厚い光ディスクであると判別することを特徴とする請求項４に記載の光ディスク装置。
【請求項６】
前記透明層が薄い光ディスクがブルーレイディスクであり、前記透明層が厚い光ディスクがＨＤ−ＤＶＤであることを特徴とする請求項１から５のいずれかに記載の光ディスク装置。
【請求項７】
レーザ光を透過させて球面収差を補正する収差補正手段を有し、同一波長のレーザ光を用い透明層厚さが異なる光ディスクの種別を判別する種別判別方法であって、
レーザ光の収差を予め定められた収差となるように補正する収差補正工程と、
前記光ディスクにレーザ光が照射されている状態で、フォーカスサーチを行うフォーカスサーチ工程と、
合焦位置で出力されるフォーカスエラー信号及び全光和信号のうちすくなくとも一方の信号を光ディスク種判別用信号として検出する光ディスク種判別用信号検出工程と、
前記光ディスク種判別用信号をもとに光ディスクの種別を判別する判別工程とを有していることを特徴とする光ディスク種別の判別方法。
【請求項８】
前記収差補正工程は、レーザ光の収差が透明層が厚い光ディスク用の第１収差となるように補正する第１補正工程と、レーザ光の収差が透明層が薄い光ディスク用の第２収差となるように補正する第２補正工程とを有し、
前記光ディスク判別用信号検出工程は、前記第１収差での第１光ディスク種判別用信号を検出する第１光ディスク判別用信号検出工程と、前記第２収差での第２光ディスク種別用信号を検出する第２光ディスク判別用信号検出工程とを有し、
前記判別工程は、予め定められている光ディスク種判別用信号の閾値を読み出す閾値読み出し工程と、
前記第１光ディスク判別用信号及び前記第２光ディスク判別用信号とを前記閾値と比較する比較工程とを有していることを特徴とする請求項７に記載の光ディスク種別の判別方法。
【請求項９】
前記判別工程は、判別される光ディスクの種別を、前記閾値を超えた光ディスク種判別用信号が検出されたときの収差補正を用いる光ディスクの種別と同じと判定することを特徴とする請求項８に記載の光ディスク種別の判別方法。
【請求項１０】
前記収差補正工程は前記レーザ光の収差を前記透明層が厚い光ディスク、薄い光ディスクいずれの光ディスクに対してフォーカスサーチを行った場合でも、前記光ディスク種判別用信号の波形及び大きさが同じになるように補正し、
前記光ディスク種判別用信号が検出されたときの前記アクチュエータに入力されるフォーカス駆動電圧信号値を検出する電圧信号検出工程を有し、
前記判別工程は、前記電圧信号検出工程で検出された前記フォーカス駆動電圧信号と予め定められているフォーカス駆動電圧信号の閾値とを比較する比較工程とを有していることを特徴とする請求項７に記載の光ディスク種別の判別方法。
【請求項１１】
前記判別工程は前記光ディスク種判別用信号が検出されたときの前記フォーカス駆動電圧信号が閾値よりも小さい場合、透明層が薄い光ディスクであり、大きい場合、透明層が厚い光ディスクであると判別することを特徴とする請求項１０に記載の光ディスク種別の判別方法。
【請求項１２】
前記透明層が薄い光ディスクがブルーレイディスクであり、前記透明層が厚い光ディスクがＨＤ−ＤＶＤであることを特徴とする請求項８から請求項１１のいずれかに記載の光ディスク種別の判別方法。
【発明の詳細な説明】
【技術分野】
【０００１】
本発明は、同一波長のレーザ光源を用いるとともに異なる基材厚さ光ディスクを判別する判別方法及びその判別方法を用いた光ディスク装置に関するものである。
【背景技術】
【０００２】
音声データ及び（又は）映像データ用の記録媒体として光ディスクを用いる光ディスク装置がよく知られている。前記光ディスク装置では前記光ディスクにレーザ光を照射することで情報を記録／再生することができる。
【０００３】
このような光ディスク装置ではフォーカスエラー信号を検出し、このフォーカスエラー信号をもとに、対物レンズにて集光されるレーザ光の集光スポットが光ディスクの記録面に対してジャストフォーカス（合焦状態）となるように、前記光ディスクに対する距離を調整するフォーカス引き込み処理を行っている。
【０００４】
このフォーカス引き込み処理は、フォーカスエラー信号を検出しつつ、光ヘッドからレーザ光を照射した状態で対物レンズを光ディスクに接近させる。前記フォーカスエラー信号の振幅が所定の閾値をこえた後、０と交わったところがジャストフォーカスであり、対物レンズの光ディスクへの接近を停止する。
【０００５】
前記光ディスク装置においては、多種類の光ディスクの記録／再生ができるように設計されており、前記光ディスク装置にどの種類の光ディスクが挿入されたかを検出する機能を備えている。特に、ＣＤとＤＶＤとでは、記録／再生に用いられるレーザ光の波長が異なるので、前記挿入された光ディスクの種別を判別するのが非常に重要である。
【０００６】
前記光ディスク装置では、挿入された光ディスクに対して、ＣＤ用のレーザ光及びＤＶＤ用のレーザ光で別途、上述したフォーカス引き込み処理を行い、フォーカスエラー信号を検出し、前記フォーカスエラー信号が上述の条件（閾値をこえた後、０と交わる）を満たしたかどうかで、前記挿入された光ディスクの種類を判別している。たとえば、ＣＤ用の光学系（レーザ光）を用いてフォーカス引き込みを行った場合、挿入されている光ディスクがＣＤの場合、上記条件を満たす点（ジャストフォーカス）が出てくるが、ＤＶＤの場合上記条件を満たすことがない（特開２００７−１２１７７号公報、特開２００６−２６８９５８号公報等参照）。
【０００７】
一方、近年ではより記憶容量の大きなＢＤ、ＨＤ−ＤＶＤに記録／再生に対応した光ディスク装置が登場している。ＢＤ、ＨＤ−ＤＶＤでは、記録密度が高くなっているので、ＤＶＤに比べて波長の短いレーザ光が用いられている。ＣＤ、ＤＶＤ、ＢＤ或いはＨＤ−ＤＶＤの判別においても、上述したように、異なる波長のレーザでフォーカス引き込みを行うことで種別の判別を行っている。
【特許文献１】特開２００７−１２１７７号公報
【特許文献２】特開２００６−２６８９５８号公報
【発明の開示】
【発明が解決しようとする課題】
【０００８】
ＢＤとＨＤ−ＤＶＤとは同じ波長（４０５ｎｍ）のレーザ光を用いるもので、透明層の厚さが異なる（ＢＤは０．１ｍｍ、ＨＤ−ＤＶＤは０．６ｍｍ）。よって、ＢＤとＨＤ−ＤＶＤとでは透明層による球面収差が異なるのみである。そこで、光ピックアップはＢＤ、ＨＤ−ＤＶＤいずれのメディアにも正確にレーザ光を合焦させるために、前記球面収差を補正するための収差補正手段が備えられている。
【０００９】
しかしならが、前記ＢＤと前記ＨＤ−ＤＶＤのように同じ波長のレーザ光を用いる光ディスクの場合、どちらか一方の光ディスクに対応するように収差補正をしたレーザ光を用いて、上述した異なる波長のレーザ光を用いる場合と同様にフォーカス引き込みを行うと、どちらの光ディスクでも、前記フォーカスエラー信号の値が閾値を超え、０と交わるジャストフォーカスとなる点が出てくることがあり、この場合、いずれの光ディスクが挿入されているか正確に判別することは難しい。
【００１０】
そこで本発明は、ＢＤとＨＤ−ＤＶＤのように、同じ波長のレーザを用いる透明層の厚さの異なる２つの光ディスクについて、精度よく判別することができる光ディスクの種別判別方法及びこれを備えた光ディスク装置を提供することを目的とする。
【課題を解決するための手段】
【００１１】
上記目的を達成するために本発明は、レーザ光を透過させて球面収差を補正する収差補正手段と、前記収差補正手段を透過したレーザ光を光ディスクの記録面に集光させる対物レンズと、前記対物レンズを前記光ディスクに対して移動させるアクチュエータと、前記光ディスクからの反射光を検出し、フォーカスエラー信号又は全光和信号を出力する信号検出手段と前記収差補正手段、前記アクチュエータ及び前記信号検出手段とを制御する制御手段とを有し、異なる透明層厚さを有する光ディスクに同一波長のレーザ光を照射して記録／再生を行う光ディスク装置であって、前記制御手段は、前記収差補正手段を駆動させレーザ光が予め定められた収差を有するように設定し、前記光ディスクにレーザ光が照射されている状態で、前記アクチュエータを前記光ディスクに接近させてフォーカスサーチを行い、合焦位置にて前記信号検出手段より出力されたフォーカスエラー信号及び全光和信号のうちすくなくとも一方の信号を光ディスク種判別用信号として用いることを特徴とする。
【００１２】
この構成によると、同じ波長のレーザ光を用い、透明層の厚さが異なる光ディスクを精度よく判別することが可能である。
【００１３】
これにより、正しい収差補正を実行することができ、再生／記録の精度が低下するのを抑制することが可能である。
【００１４】
上記構成において、前記制御手段はレーザ光が透明層が厚い光ディスク用の収差及び透明層が薄い光ディスク用の収差を有するように前記収差補正手段を設定し、それぞれの補正で前記フォーカスサーチを行ったときの前記光ディスク種判別信号の振幅を測定し、予め与えられている光ディスク種判別用信号の閾値と比較することで、光ディスクの種別を判別しているものであってもよい。
【００１５】
上記構成において、前記制御手段は、判別される光ディスクの種別は前記閾値を超えた光ディスク種判別用信号が検出されたときの収差補正で記録／再生される光ディスクの種別であると判別するものであってもよい。
【００１６】
上記構成において、前記制御手段は前記レーザ光の収差を、前記透明層が厚い光ディスク、薄い光ディスクいずれの光ディスクに対してフォーカスサーチを行った場合でも、前記光ディスク種判別用信号の波形及び大きさが同じになるように設定し、フォーカスサーチを行い、前記光ディスク種判別用信号が検出されたときの前記アクチュエータに入力されるフォーカス駆動電圧信号値と、予め定められているフォーカス駆動電圧信号の閾値とを比較することで光ディスクの種別を判別するものであってもよい。
【００１７】
前記制御手段は前記光ディスク種判別用信号が検出されたときの前記フォーカス駆動電圧信号が閾値よりも小さい場合、透明層が薄い光ディスクであり、大きい場合、透明層が厚い光ディスクであると判別するものであってもよい。
【００１８】
前記透明層が薄い光ディスクがブルーレイディスクであり、前記透明層が厚い光ディスクがＨＤ−ＤＶＤを挙げることができる。
【００１９】
上記目的を達成するために本発明は、レーザ光を透過させて球面収差を補正する収差補正手段を有し、同一波長のレーザ光を用い透明層厚さが異なる光ディスクの種別を判別する種別判別方法であって、レーザ光の収差を予め定められた収差となるように補正する収差補正工程と、前記光ディスクにレーザ光が照射されている状態で、フォーカスサーチを行うフォーカスサーチ工程と、合焦位置で出力されるフォーカスエラー信号及び全光和信号のうちすくなくとも一方の信号を光ディスク種判別用信号として検出する光ディスク種判別用信号検出工程と、前記光ディスク種判別用信号をもとに光ディスクの種別を判別する判別工程とを有していることを特徴とする。
【００２０】
上記構成において、前記収差補正工程は、レーザ光の収差が透明層が厚い光ディスク用の第１収差となるように補正する第１補正工程と、レーザ光の収差が透明層が薄い光ディスク用の第２収差となるように補正する第２補正工程とを有し、前記光ディスク判別用信号検出工程は、前記第１収差での第１光ディスク種判別用信号を検出する第１光ディスク判別用信号検出工程と、前記第２収差での第２光ディスク種別用信号を検出する第２光ディスク判別用信号検出工程とを有し、前記判別工程は、予め定められている光ディスク種判別用信号の閾値を読み出す閾値読み出し工程と、前記第１光ディスク判別用信号及び前記第２光ディスク判別用信号とを前記閾値と比較する比較工程とを有しているものであってもよい。
【００２１】
上記構成において、前記判別工程は、判別される光ディスクの種別を、前記閾値を超えた光ディスク種判別用信号が検出されたときの収差補正を用いる光ディスクの種別と同じと判定するものとしてもよい。
【００２２】
上記構成において、前記収差補正工程は前記レーザ光の収差を前記透明層が厚い光ディスク、薄い光ディスクいずれの光ディスクに対してフォーカスサーチを行った場合でも、前記光ディスク種判別用信号の波形及び大きさが同じになるように補正し、前記光ディスク種判別用信号が検出されたときの前記アクチュエータに入力されるフォーカス駆動電圧信号値を検出する電圧信号検出工程を有し、前記判別工程は、前記電圧信号検出工程で検出された前記フォーカス駆動電圧信号と予め定められているフォーカス駆動電圧信号の閾値とを比較する比較工程とを有していてもよい。
【００２３】
上記構成において、前記判別工程は前記光ディスク種判別用信号が検出されたときの前記フォーカス駆動電圧信号が閾値よりも小さい場合、透明層が薄い光ディスクであり、大きい場合、透明層が厚い光ディスクであると判別するものであってもよい。
【発明の効果】
【００２４】
本発明によると、ＢＤとＨＤ−ＤＶＤのように、同じ波長のレーザを用いる透明層の厚さの異なる２つの光ディスクについて、精度よく判別することができる光ディスクの種別判別方法及びこれを備えた光ディスク装置を提供することができる。
【発明を実施するための最良の形態】
【００２５】
以下に本発明の実施形態を図面を参照して説明する。図１は本発明にかかる光ディスク装置の一例の構成を示す図である。図１に示す光ディスク装置Ａは、ＢＤメディア、ＨＤ−ＤＶＤメディアの２種類の光ディスクを再生することができるものである。なお、図１では、便宜上、光ディスクＤｓと記している。
【００２６】
光ディスク装置Ａには、青色レーザ光源１と、偏光ビームスプリッタ２と、コリメートレンズ３と、ミラー４と、液晶素子５と、１／４波長板６と、対物レンズ７と、シリンドリカルレンズ８と、受光部９と、アクチュエータ１０と、液晶ドライバ１１と、信号生成回路１２と、メモリ１３と、サーボドライバ１４と、システムコントローラ１５とを備えている。
【００２７】
青色レーザ光源１は、青色レーザ光（波長４０５ｎｍ）を出射するためのレーザ光である。青色レーザ光源１より出射されるレーザ光は直線偏光のレーザ光である。
【００２８】
偏光ビームスプリッタ２は直線偏光のレーザ光をその偏光方向によって透過又は反射するプリズムである。青色レーザ光源１より出射されるレーザ光は、偏光ビームスプリッタ２を透過できる直線偏光のレーザ光を出射するものである。また、偏光ビームスプリッタ２を透過したレーザ光はコリメートレンズ３に入射する。コリメートレンズ３は透過したレーザ光を発散光から平行光に変換する。
【００２９】
対物レンズ７はレーザ光を集光させ、レーザスポットとして、光ディスクＤｓの記録面に照射するものである。光ディスクＤｓは、透明な樹脂で形成された基材層を有しており、レーザ光がこの基材層を透過するときに球面収差が発生する。この球面収差は基材層の厚さによって異なってくるものである。
【００３０】
この球面収差が発生すると、レーザ光の集光点（レーザスポット）が集光しきれずにぼやけたり、レーザスポットのまわりにうすい光の輪（ハロ）が発生し、情報を再生しようとしているトラック以外のトラックに照射するクロストーク、ジッタが増加してデータ再生精度が低下する。本発明ではこのような球面収差を補正するために液晶素子５が用いられる。液晶素子５はレーザ光に径方向に位相のズレを形成し、収差を補正するものである。液晶素子５で補正されたレーザ光は１／４波長板６に入射する。
【００３１】
１／４波長板６は透過するレーザ光の偏光を直線偏光から円偏光に又は円偏光を直線偏光に変換するものである。１／４波長板６を透過したレーザ光は円偏光に変換され、光ディスクＤｓで反射され、再び１／４波長板６を透過するときには直線偏光に変換される。１／４波長板６を透過したレーザ光は、光ディスクで反射されるときに、位相がずれ、再度１／４波長板６を透過するときに、レーザ光の偏光方向は９０度回転する。
【００３２】
すなわち、光ディスクＤｓで反射される前の１／４波長板６に入射したレーザ光は偏光ビームスプリッタ２を透過する方向の直線偏光であり、光ディスクＤｓで反射し、１／４波長板６を透過したレーザ光は偏光ビームスプリッタ２で反射される方向の直線偏光になる。対物レンズ７は１／４波長板６を透過したレーザ光を集光させ、レーザスポットとして光ディスク記録面に照射する。
【００３３】
受光部９は、偏光ビームスプリッタ２で反射され、シリンドリカルレンズ８を透過したレーザ光を受光するものである。受光部９は受光したレーザ光を電気信号に変換し、信号生成回路１２に電気信号を送る。受光部９はそれには限定されないが、光電素子を用いるものを挙げることができる。シリンドリカルレンズ８は一方向にのみ光を集束することができるレンズであり、センシングに用いられるものである。
【００３４】
アクチュエータ１０はフォーカス駆動信号に従って、対物レンズ７を光ディスクに対して接近離反するように移動させることができる。アクチュエータ１０はそれには限定されないが、ここでは、永久磁石（図示省略）によって形成される磁界内にコイル（図示省略）に駆動電流（レンズ駆動信号）を流し、ローレンツ力にて対物レンズ７を駆動することができるものである。
【００３５】
本発明では、アクチュエータ１０は対物レンズ７を光ディスクＤｓに対して接近離反するように移動させるフォーカス動作を行うものであるが、これ以外にも、対物レンズ７を光ディスクの記録面に沿う方向に移動させるトラッキング動作や、対物レンズ７より照射されるレーザ光の光軸が揺動するように対物レンズ７を移動させるチルト動作も必要に応じて行うことができるものである。
【００３６】
信号生成回路１２は、受光部９より送られてくる電気信号をもとに、既知のフォーカスエラー信号を生成する回路である。信号生成回路１２で生成されたフォーカスエラー信号はシステムコントローラ１５に送られる。
【００３７】
メモリ１３には、各種データが保存されている。メモリ１３はそれには限定されないが、ここでは、記録可能なＲＡＭ（Ｒａｎｄｏｍ  Ａｃｃｅｓｓ  Ｍｅｍｏｒｙ）、読出し専用のＲＯＭ（Ｒｅａｄ  Ｏｎｌｙ  Ｍｅｍｏｒｙ）等を組み合わせたものであっても良い。サーボドライバ１４はアクチュエータ１０をフォーカス駆動するためのフォーカス駆動信号を生成し、アクチュエータ１０に対して出力するものである。
【００３８】
システムコントローラ１５は、液晶ドライバ１１、信号生成回路１２、メモリ１３及びサーボドライバ１４と接続し、これらを制御するものである。また、本発明においてシステムコントローラ１５は、ＣＰＵや、マイコン等の演算処理装置を含むものである。
【００３９】
液晶ドライバ１１、信号生成回路１２、サーボドライバ１４は独立した電子部品として備え付けられていてもよく、システムコントローラ１５、メモリ１３と集積された電子部品であっても良い。また、液晶ドライバ１１、信号生成回路１２、サーボドライバ１４は、システムコントローラ１５で実行されるソフトウェアで構成され、メモリ１３或いは別途備えられたメモリに記録されており、システムコントローラ１５に呼び出して実行されるものであってもよい。
【００４０】
次に本発明にかかる光ディスク装置Ａを用いて、挿入された光ディスクの種別を判別する手順を図面を参照して説明する。図２はフォーカスサーチ動作時のフォーカス駆動電圧信号、フォーカスエラー信号、全光和信号を示す図である。なお、ここで示す、フォーカスサーチはＣＤ、ＤＶＤといった一般的な光ディスクを再生／記録する光ディスク装置で行われる操作である。
【００４１】
システムコントローラ１５はサーボドライバ１４を制御してレンズ駆動電圧信号ｆｄを生成させアクチュエータ１０に入力させ、アクチュエータ１０を動作させる。このとき、システムコントローラ１５はＦＥ信号に関係なく信号値が増加するレンズ駆動電圧信号ｆｄを生成するようにサーボドライバ１４を制御する。サーボドライバ１４で生成されるレンズ駆動電圧信号ｆｄの値が大きくなると、アクチュエータ１０によって対物レンズ７は光ディスクに近づくように移動される。
【００４２】
このとき、対物レンズ７はレーザ光を集光しつつ出射し続けており、光ディスクの記録面で反射してきたレーザ光は受光部９に入射し、電気信号に変換される。この変換された電気信号をもとに信号生成回路１２はフォーカスエラー信号及び全光和信号を出力する（図２参照）。なお、本実施例では、フォーカスエラー信号及び全光和信号両方の信号を生成しているが、いずれか一方でもよい。
【００４３】
レーザ光を出射しつつ対物レンズ７を光ディスクＤｓに近づけていくと、フォーカスエラー信号は図２に示すようなＳ字状の波形が出力され、全光和信号は１つのピークを持つ山なりの波形が出力されることがある。システムコントローラ１５はフォーカスエラー信号のピークからピークまでの振幅の大きさが予め決められている閾値を越え、さらに、０と交差する点をジャストフォーカス位置（合焦点位置）とし、フォーカスサーチを終了する。また、全光和信号でも同様で、ジャストフォーカス位置の近傍で閾値を越えるとともに、最も振幅が大きくなる。
【００４４】
このようにフォーカスサーチを行うことで、光ディスクＤｓの記録面に正確にレーザ光を集光させることができ、記録／再生を安定して行うことが可能である。フォーカスエラー信号のＳ波形はレーザ光の収差によって大きさが変化したり、センター位置がずれてしまったりする。
【００４５】
図３はＨＤ−ＤＶＤ記録／再生用に収差を補正した状態でＨＤ−ＤＶＤ及びＢＤに対してフォーカスサーチを行ったときのフォーカスエラー信号及び全講和信号を示す図である。図３に示すフォーカスサーチでは光ピックアップがＨＤ−ＤＶＤ用に収差補正されているものであり、ＨＤ−ＤＶＤに対してフォーカスエラー信号の生成を行った場合、図２に示すものと同じように、閾値Ｓよりも大きな振幅の大きさＳ１を有するＳ字波形が生成される。
【００４６】
一方、同様の構成の光ピックアップでＢＤに対してフォーカスエラー信号の生成を行った場合、図３に示すように閾値Ｓよりも小さな振幅の大きさＳ２のＳ字波形が生成される。このように、収差補正値が正しくない場合、ちいさな振幅のＳ字波形が生成される。また、同様にＨＤ−ＤＶＤに対してフォーカスサーチを行ったときの全光和信号Ｔ１は大きく、ＢＤに対してフォーカスサーチを行ったときの全光和信号Ｔ２は小さい。
【００４７】
この特性を利用した光ディスク種別の判別方法を以下に示す。図４は光ディスク判別方法のフローチャートである。この方法では、光ディスク種判別用信号としてフォーカスエラー信号を採用している。まず、システムコントローラ１５は液晶素子５が透明層が厚いＨＤ−ＤＶＤ用の収差補正量となるように液晶ドライバ１１を制御する（ステップＳ１１）。なお、まず透明層が厚いＨＤ−ＤＶＤ用の収差補正量を用いた理由は、ＨＤ−ＤＶＤのほうがワーキングディスタンスが大きいので、合焦位置での、対物レンズと光ディスクとの距離が長く、ＢＤが挿入されている場合であっても、対物レンズ７が光ディスクに接触するのを抑制すことができるからである。この状態で、レーザ光源１を駆動しレーザ光を出射する。
【００４８】
この状態で、システムコントローラ１５はアクチュエータ１０に対物レンズ７が挿入された光ディスクに接近するようにフォーカス駆動電圧信号を出力するようにサーボドライバ１４を制御する（ステップＳ１２）。このとき、信号検出回路１２は光ディスクで反射されたレーザ光を受光素子９で電気信号に変換し、その電気信号をフォーカスエラー信号として生成し、システムコントローラ１５に送る。システムコントローラ１５は、合焦位置（フォーカスエラー信号がＳ字の波形となり、０と交わる位置）でのフォーカスエラー信号の振幅をＳ１として、メモリ１３に記録し（ステップＳ１３）、フォーカスサーチを終了する（ステップＳ１４）。
【００４９】
システムコントローラ１５はメモリ１３より予め定められているフォーカスエラー信号の閾値Ｓを読み出す（ステップＳ１５）。システムコントローラ１５はＨＤ−ＤＶＤ用の収差補正状態でフォーカスサーチを行ったときのフォーカスエラー信号の振幅値Ｓ１と閾値Ｓとを比較する（ステップＳ１６）。振幅値Ｓ１が閾値Ｓよりも大きい場合（ステップＳ１６でＹＥＳの場合）、システムコントローラ１５は挿入された光ディスクをＨＤ−ＤＶＤであると判定する（ステップＳ１６１）。
【００５０】
振幅値Ｓ１が閾値Ｓよりも小さい場合（ステップＳ１１２でＮＯの場合）、システムコントローラ１５は液晶ドライバ１１を制御して、液晶素子５がＢＤ用の収差補正値となるように調整する（ステップＳ１７）。この状態で、上述と同様に、フォーカスサーチを行い（ステップＳ１８）、フォーカスエラー信号の振幅Ｓ２をメモリに記録し（ステップＳ１９）、フォーカスサーチを終了する（ステップＳ１１０）。
【００５１】
システムコントローラ１５はメモリ１３より予め定められているフォーカスエラー信号の閾値Ｓを読み出す（ステップＳ１１１）。ＢＤ用の収差補正状態でフォーカスサーチを行ったときのフォーカスエラー信号の振幅値Ｓ２と閾値Ｓとを比較する（ステップＳ１１２）。振幅値Ｓ２が閾値Ｓよりも大きい場合（ステップＳ１１２でＹＥＳの場合）、システムコントローラ１５は挿入された光ディスクをＢＤであると判定する（ステップＳ１１３）。振幅値Ｓ２が閾値Ｓよりも小さい場合（ステップＳ１１２でＮＯの場合）、システムコントローラ１５は挿入された光ディスクがＨＤ−ＤＶＤでも、ＢＤでもないと判断し（ステップＳ１１４）、判別を終了する。この後は、図示を省略しているが、光ピックアップの設定を、ＣＤやＤＶＤに切り替えて判別を行う。なお、図示は省略したが、ＨＤ−ＤＶＤ用及びＢＤ用のフォーカスサーチを行うときは、対物レンズが光ディスクに近づき過ぎないように、レンズ駆動信号が所定の値以上にならないようにする工程が備えられている。
【００５２】
図５は光ディスク判別方法のフローチャートである。図４と手順は同様であるが、この方法では光ディスク種判別用信号として全光和信号を採用している。まず、システムコントローラ１５は液晶素子５が透明層が厚いＨＤ−ＤＶＤ用の収差補正量となるように液晶ドライバ１１を制御する（ステップＳ２１）。なお、まず透明層が厚いＨＤ−ＤＶＤ用の収差補正量を用いた理由は、ＨＤ−ＤＶＤのほうがワーキングディスタンスが大きいので、ＢＤが挿入されている場合であっても、対物レンズ７が光ディスクに接触するのを抑制すことができるからである。
【００５３】
この状態で、システムコントローラ１５はアクチュエータ１０に対物レンズ７が光ディスクに接近するようにフォーカス駆動電圧信号を出力するようにサーボドライバ１４を制御する（ステップＳ２２）。このとき、信号検出回路１２は光ディスクで反射されたレーザ光を受光素子９で電気信号に変換し、その電気信号より全光和信号を生成し、システムコントローラ１５に送る。システムコントローラ１５は、合焦位置（フォーカスエラー信号がＳ字の波形となり、０と交わる位置）での全光和信号の振幅をＴ１として、メモリ１３に記録し（ステップＳ２３）、フォーカスサーチを終了する（ステップＳ２４）。
【００５４】
システムコントローラ１５はメモリ１３より予め定められている全光和信号の閾値Ｔを読み出す（ステップＳ２５）。システムコントローラ１５はＨＤ−ＤＶＤ用の収差補正状態でフォーカスサーチを行ったときの全光和信号の振幅値Ｔ１と閾値Ｔとを比較する（ステップＳ２６）。振幅値Ｔ１が閾値Ｔよりも大きい場合（ステップＳ２６でＹＥＳの場合）、システムコントローラ１５は挿入された光ディスクをＨＤ−ＤＶＤであると判定する（ステップＳ２６１）。
【００５５】
振幅値Ｔ１が閾値Ｔよりも小さい場合（ステップＳ２６でＮＯの場合）、システムコントローラ１５は液晶ドライバ１１を制御して、液晶素子５がＢＤ用の収差補正値となるように調整する（ステップＳ２７）。この状態で、上述と同様に、フォーカスサーチを行い（ステップＳ２８）、合焦位置での全光和信号の振幅Ｔ２をメモリに記録し（ステップＳ２９）、フォーカスサーチを終了する（ステップＳ２１０）。
【００５６】
システムコントローラ１５はメモリ１３より予め定められている全光和信号の閾値Ｔを読み出す（ステップＳ２１１）。ＢＤ用の収差補正状態でフォーカスサーチを行ったときの全光和信号の振幅値Ｔ２と閾値Ｔとを比較する（ステップＳ２１２）。振幅値Ｔ２が閾値Ｔよりも大きい場合（ステップＳ２１２でＹＥＳの場合）、システムコントローラ１５は挿入された光ディスクをＢＤであると判定する（ステップＳ１１３）。振幅値Ｔ２が閾値Ｔよりも小さい場合（ステップＳ２１２でＮＯの場合）、システムコントローラ１５は挿入された光ディスクがＨＤ−ＤＶＤでも、ＢＤでもないと判断し（ステップＳ２１４）、判別を終了する。この後は、図示を省略しているが、光ピックアップの設定を、ＣＤやＤＶＤに切り替えて判別を行う。
【００５７】
このように、収差補正を切り替えてフォーカスサーチを行い、そのときのフォーカスエラー信号或いは全光和信号と閾値を比較することで、同一波長のレーザを用いる透明層の厚さの異なる光ディスクの種別を精度翼判別することが可能である。
【００５８】
また、本発明にかかる判別方法の他の例を図面を参照して説明する。図６はフォーカスサーチを行うときの図である。これまでの収差補正では、システムコントローラ１５はレーザ光に対しＨＤ−ＤＶＤ或いはＢＤに適した収差となるように、液晶ドライバ１１を制御してきた。レーザ光の収差を補正することで、フォーカスサーチ時の、合焦位置でのフォーカスエラー信号の振幅が、ＨＤ−ＤＶＤに対してフォーカスサーチを行った場合とＢＤに対してフォーカスサーチを行った場合で、略同じとすることができる。
【００５９】
ＨＤ−ＤＶＤとＢＤとでは、透明層の厚さがことなるので、通常、透明層が厚いＨＤ−ＤＶＤはジャストフォーカス位置になるまでに、ＢＤよりもより多く対物レンズ７を移動させる必要がある。この特性を利用して、光ディスク種別の判別を行う。なお、この収差補正状態を便宜上、中間収差補正状態とし、以下、中間収差補正状態とよぶ。
【００６０】
図７は本発明にかかる光ディスク種別の判別方法の他の例のフローチャートである。システムコントローラ１５は液晶素子５の収差補正値が中間収差補正状態となるように液晶ドライバ１１を制御する（ステップＳ３１）。
【００６１】
システムコントローラ１５はアクチュエータ１０に対物レンズ７が挿入された光ディスクに接近するようにフォーカス駆動電圧信号を出力するようにサーボドライバ１４を制御する（ステップＳ３２）。このとき、信号検出回路１２は光ディスクで反射されたレーザ光を受光素子９で電気信号に変換し、その電気信号をフォーカスエラー信号として生成し、システムコントローラ１５に送る。システムコントローラ１５は、合焦位置（フォーカスエラー信号がＳ字の波形となり、０と交わる位置）でのサーボドライバ１４よりアクチュエータ１０に対して出力されたフォーカス駆動電力信号Ｖ１を受け取り（ステップＳ３４）、フォーカスサーチを終了する（ステップＳ３５）。
【００６２】
システムコントローラ１５は、予めメモリ１３に格納されているフォーカス駆動電力信号の閾値Ｖｆを取り出し（ステップＳ３６）、ステップＳ３４で受け取ったフォーカス駆動電力信号Ｖ１と比較する（ステップＳ３７）。フォーカス駆動電力信号Ｖ１が閾値Ｖｆよりも小さい場合（ステップＳ３７でＹＥＳの場合）、上述のとおり対物レンズ７の移動量が少ない状態で合焦位置まで移動してきたので、システムコントローラ１５は透明層が薄いＢＤであると判定する（ステップＳ３８）。また、フォーカス駆動電力信号Ｖ１が閾値Ｖｆよりも大きい場合（ステップＳ３７でＮＯの場合）、対物レンズ７の移動量が多いので、システムコントローラ１５はＨＤ−ＤＶＤであると判定する（ステップＳ３９）。
【００６３】
また、図６に示す方法では、フォーカスエラー信号を元に、フォーカス駆動電圧信号を検出していたが、全光和信号を元に行うものであってもよい。図２に示すように全光和信号のピークが検出されたときに光ピックアップは合焦位置に移動したということになる。この性質を利用することで、図６に示す方法と同様にして光ディスク種別の判別を行うことが可能である。
【００６４】
また、上記各実施例では、フォーカスエラー信号又は全光和信号を単独で用いているものを例に説明しているが、両信号と各信号の閾値との比較結果を総合して判定するものであってもよい。この場合、より精度よく判定することが可能である。
【００６５】
図４、図５に示す判定方法は、ＢＤ、ＨＤ−ＤＶＤ以外の光ディスクが挿入されていることがある場合に用いることが好ましく、図６に示す判定方法は、光ディスクがＢＤ又はＨＤ−ＤＶＤである場合に用いられることが好ましい。たとえば、図４、図５に示す方法は、光ディスク装置の電源投入後や光ディスク装置に光ディスクが挿入された直後に実施され、図７に示す方法は、一度ＤＶＤ或いはＣＤであるかどうかの判定でいずれの光ディスクでもないと判定された後に実施されることが好ましい。
【００６６】
上記実施例において、同一波長のレーザ光を用い、異なる厚さの透明層を有する光ディスクの例としてＢＤとＨＤ−ＤＶＤを挙げているが、これに限定されるものではない。また、上記実施例では、収差を補正する補正手段として、液晶素子と液晶ドライバを備えるものを例に説明しているがそれに限定されるものではなく、２枚のレンズの間の長さを調整することで収差を補正するもの等、レーザ光の収差を可変で設定できるものを広く採用することができる。
【産業上の利用可能性】
【００６７】
本発明は、ＢＤ、ＨＤ−ＤＶＤ等の同一波長のレーザ光を用いる光ディスクの種類を判別する光ディスク装置において適用することができる。
【図面の簡単な説明】
【００６８】
【図１】本発明にかかる光ディスク装置の一例の構成を示す図である。
【図２】フォーカスサーチ動作時のフォーカス駆動電圧信号、フォーカスエラー信号、全光和信号を示す図である。
【図３】ＨＤ−ＤＶＤ記録／再生用に収差を補正した状態でＨＤ−ＤＶＤ及びＢＤに対してフォーカスサーとを行ったときの信号である。
【図４】光ディスク判別方法のフローチャートである。
【図５】光ディスク判別方法のフローチャートである。
【図６】収差を所定の補正量で補正した状態でＨＤ−ＤＶＤ及びＢＤに対してフォーカスサーとを行ったときの信号である。
【図７】本発明にかかる光ディスク種別の判別方法の他の例のフローチャートである。
【符号の説明】
【００６９】
Ａ  光ディスク装置
１  レーザ光源
２  コリメータレンズ
３  偏光ビームスプリッタ
４  ミラー
５  液晶素子
６  １／４波長板
７  対物レンズ
８  シリンドリカルレンズ
９  受光素子
１０  アクチュエータ
１１  液晶ドライバ
１２  信号検出回路
１３  メモリ
１４  サーボドライバ
１５  制御部
【図１】
2008293611.tif 000003
【図２】
2008293611.tif 000004
【図３】
2008293611.tif 000005
【図４】
2008293611.tif 000006
【図５】
2008293611.tif 000007
【図６】
2008293611.tif 000008
【図７】
2008293611.tif 000009